(57)【要約】【課題】製品の帯電を確実に防止することができ、しかも、製品に被せる袋や箱体を安価にすることができる包装ケースを提供することを目的とする。【解決手段】底面に金属ベースが露出している製品２が下部緩衝材４を挟んで包装される包装ケースにおいて、前記製品２が下部緩衝材４を挟んで載置されるパレット３と、前記下部緩衝材４の金属ベースを受ける受面１３から前記パレット３の下面にいたるアース部材７を備える。これによれば、製品２がアース部材７で地面に接地されるので、製品の帯電を確実に防止でき、製品２に被せる袋や包装ケースのパレット３や箱体６を安価な非導電性材料で構成することができる。【選択図】図１
2007320619.tif 000002
【特許請求の範囲】
【請求項１】
底面に金属ベースが露出している製品が緩衝材を挟んで包装される包装ケースにおいて、
前記製品が下部緩衝材を挟んで載置されるパレットと、前記下部緩衝材の金属ベースを受ける受面から前記パレットの下面にいたるアース部材を備えることを特徴とする包装ケース。
【請求項２】
前記アース部材がパレットの脚部を貫通して設けられることを特徴とする請求項１に記載の包装ケース。
【請求項３】
前記アース部材が下部緩衝材及びパレットの表面に貼着される導電性テープからなる請求項１に記載の包装ケース。
【発明の詳細な説明】
【技術分野】
【０００１】
本発明は、底面に金属ベースを備える製品を収納する包装ケースに関する。
【背景技術】
【０００２】
電気製品や電子機器などの製品を収納する包装ケースとしては、前記製品が下部緩衝材を挟んで載置されるパレットと、該パレットに下部緩衝材を挟んで載置された製品の上側に載せられる上部の緩衝材と、下面が開放され、これら製品及び上部、下部両緩衝材を覆う箱体を備えるものがある。
【０００３】
後掲の特許文献１には、前記箱体が導電性金具により組立てられる上面用パネルと、四方の側壁用パネルで構成され、側壁用パネルを組立てる導電性金具とパレットの下部をアース接続するアース手段を備えるコンテナ（包装ケース）が記載されている。
【０００４】
このコンテナによれば、包装ケースを地面に置くことにより該包装ケースが帯電することを防止できるが、この包装ケースの中に収納される製品と包装ケースの間に例えばダンボール、発泡スチロールなどの非導電性材料からなる緩衝材を挟むと、製品が緩衝材によりコンテナから絶縁されるので、製品そのものが帯電することは防止できない。
【０００５】
このため、コンテナの内部に収納される製品に、例えば後掲の特許文献２に記載されている帯電防止用フィルムで作られた袋を被せることにより、製品に塵埃が付着することを防止している。
【０００６】
しかし、この導電性フィルムからなる袋は、高価である上、緩衝材を挟んで包装ケースから絶縁されているので、製品その物の帯電を防止するには不完全であり、開梱した製品の表面やその内部が汚れていたり、製品の表面に塵埃が付着したりしていることが少なくない。
【０００７】
又、場合によっては、製品が帯電することにより、部品の電気的特性が損なわれたり、部品が破損したりすることもある。
【０００８】
そこで、上述した電気製品や電子機器などの製品は底面に金属ベースが露出していることに着目し、この金属ベースを地面に接地させることにより帯電を防止して、製品の表面及び内部への塵埃や汚れの付着、部品の電気的特性の悪化や破損などを防止でき、しかも、製品を覆う袋や包装ケースの導電性が問題ではなくなることに気付いた。
【特許文献１】特開平１１−１５７５３５号公報
【特許文献２】実用新案第３０３２６６０号公報
【発明の開示】
【発明が解決しようとする課題】
【０００９】
本発明は、このような技術的背景に基づいて、製品の帯電を確実に防止することができ、しかも、製品に被せる袋や箱体を安価にすることができる包装ケースを提供することを目的とする。
【課題を解決するための手段】
【００１０】
この目的を達成するため、本発明に係る包装ケースは、底面に金属ベースが露出している製品が緩衝材を挟んで包装される包装ケースにおいて、前記製品が下部緩衝材を挟んで載置されるパレットと、前記下部緩衝材の金属ベースを受ける受面から前記パレットの下面にいたるアース部材を備えることを特徴とするという技術的手段を採用する。
【００１１】
本発明によれば、製品を梱包した包装ケースを地面に置くことにより、製品の金属ベースがアース部材により地面に接地されるので、製品その物の帯電を防止でき、製品の帯電に因る弊害、即ち、製品の内部及び表面への塵埃や汚れの付着、部品の電気的特性の悪化や破損などを防止できる。
【００１２】
又、本発明によれば、製品その物が地面に接地されるので、製品に被せる袋や包装ケースを安価な非導電性材料で構成することができる。
【００１３】
更に、本発明によれば、箱体を、例えば所定の形状に裁断し、折り曲げてステープルで止めたダンボールをなどで構成することができ、箱体の構成を簡単にすることができる。
【発明の効果】
【００１４】
以上に説明したように、本発明の包装ケースは、底面に金属ベースが露出している製品が緩衝材を挟んで包装される包装ケースにおいて、前記製品が下部緩衝材を挟んで載置されるパレットと、前記下部緩衝材の金属ベースを受ける受面から前記パレットの下面にいたるアース部材を備えることを特徴とするという技術的手段を採用するので、本発明によれば、以下の効果を得ることができる。
【００１５】
先ず、本発明によれば、製品を梱包した包装ケースを地面に置くことにより、製品の金属ベースがアース部材により地面に接地されるので、製品その物の帯電を確実に防止できるという効果を得ることができる。
【００１６】
又、本発明によれば、この効果により、製品の内部や表面に塵埃や汚れが付着することを防止できると共に、部品の電気的特性が損なわれたり、部品が破損したりすることを防止することができるという効果を得ることができる。
【００１７】
更に、本発明によれば、製品その物が地面に接地されるので、包装ケース内で製品に被せられる袋を安価な非導電性フィルムや紙で構成することができ、包装費用を削減できるという効果を得ることができる。
【００１８】
又更に、本発明によれば、製品その物が地面に接地されるので、製品を載置するパレットを例えば木材、ダンボールなどの安価な非導電性材料で構成して、包装費用を安価にすることができるという効果を得ることができる。
【００１９】
加えて、本発明によれば、製品その物が地面に接地されるので、製品及び緩衝材を覆う箱体を例えばダンボールなどの非導電性材料で構成して、包装費用を安価にすることができると共に、前記箱体の構成を簡単にして包装費用を一層安価にすることができるという効果も得ることができる。
【発明を実施するための最良の形態】
【００２０】
以下、本発明に係る包装ケースを図面に基づいて具体的に説明する。
【００２１】
図面において、図１は本発明の一実施例に係る包装ケースの分解斜視図であり、図２は図１のＡ−Ａ線に沿う縦断面図であり、図３は本発明の他の実施例に係る包装ケースの図２に相当する縦断面図であり、図４は本発明の又他の実施例に係る包装ケースの要部の斜視図であり、図５は本発明の更に別の実施例に係る包装ケースの要部の分解斜視図である。
【００２２】
図１に示すように、本発明の一実施例に係る包装ケース１は、底面に金属ベースが露出する電気製品２を包装する包装ケース１であり、パレット３と、下面が開放され、前記パレット３の上に載置される下部緩衝材４、電気製品２及び上部緩衝材５に被される直方形の箱体６とを備える。
【００２３】
前記パレット３及び箱体６は例えばダンボールで形成され、下部緩衝材４及び上部緩衝材５は例えば発泡スチロールで形成され、下部緩衝部材４は電気製品２を梱包する際にパレット３の上の適当な位置に置かれる。
【００２４】
この包装ケース１には、下部緩衝材４に載せた製品２の底面に露出する金属ベースに接触させるアース部材７が設けられ、図２に示すように、このアース部材７は前記パレット３の脚部８に形成した貫通孔９を通ってパレット３の下側に引出される。
【００２５】
このアース部材７は裸の導電線で構成され、図１に示すように、パレット３の下側に引出されているアース部材７の端部は、例えば前記パレット３の下デッキボード１０にその端縁から切り込んだ切込１１に挟み込んで固定する。
【００２６】
この切込１１の平面形状は、特に限定されないが、例えばくの字形、Ｊ字形等のように屈曲することでアース部材７が容易に取り外れないように構成されているのが好ましい。
【００２７】
もっとも、パレット３の下側に引出されているアース部材７の端部は、下デッキボード１０の下に露出するように固定されていれば良く、例えば切込１１への挟み込みと共に、又は、これに代えて粘着テープなどのテープで下デッキボード１０の下面に固定してもよい。
【００２８】
図１に示すように、前記アース部材７の他端は前記パレット３の上デッキボード１２の上に下部緩衝材４を載せた後、下部緩衝材４の製品底面を受ける受面１３に這わせ、必要に応じて、粘着テープ１４などにより固定される。
【００２９】
この粘着テープ１４は、非導電性のものを用いても良いが、導電性を有する粘着テープ１４であることが好ましい。
【００３０】
なお、前記アース部材７は、パレット３を例えば廃却したり、再利用したりし易いように、パレット３の廃却時にはパレット３から取外される。
【００３１】
前記パレット３の上に載せ、アース部材７を這わせた下部緩衝材４に製品２を載せると、この製品２の底面に露出する金属ベースにアース部材７が接触し、製品２から電荷がアース部材７を伝って地面に逃される。
【００３２】
これにより、製品２その物の帯電が確実に防止され、製品２の内部や表面に塵埃や汚れが付着することを防止できると共に、製品２の部品の電気的特性が損なわれたり、部品が破損したりすることを防止することができる。
【００３３】
ところで、この製品２には、必要に応じて、その表面が傷付くことを防止するために、上部緩衝材５を製品２に載せる前に、製品２の下面以外の面（或いは。下面を含めた全面でもよい。）を覆う袋１５が被せられるが、製品２その物がアース部材７で地面に接地されるので、包装ケース１内で製品２に被せられる袋１５は安価な非導電性フィルムで構成し、包装費用を削減することができる。
【００３４】
又、この包装ケース１では、製品２その物が地面に接地されるので、製品２を載置するパレット３を例えばダンボールなどの安価な非導電性材料で構成して、包装費用を安価にすることができたのである。
【００３５】
更に、この包装ケース１によれば、製品２その物が地面に接地されるので、製品２及び下部、上部両緩衝材４、５を覆う箱体６を例えばダンボールなどの非導電性材料で構成して、包装費用を安価にすることができたのであり、しかも、前記箱体１を所定の形状に裁断したダンボールを折り曲げ、ステープルで止めるという簡単な構成にして、包装費用を一層安価にすることができたのである。
【００３６】
図３に示す本発明の他の実施例に係る包装ケースでは、前記パレット３の脚部８を貫通する金属製のボルト７ａと、上デッキボード１２の上でこのボルト７ａに連結された導電性を有する線材、例えば金属線７ｂからなるアース部材７が設けられ、この金属線７ｂを下部緩衝材４の製品２を受ける受面１３に這わせる。
【００３７】
この包装ケース１のその他の構成、作用ないし効果は前記本発明の一実施例におけるそれらと同様である。
【００３８】
図４に示す本発明の又他の実施例に係る包装ケース１では、導電性粘着テープからなるアース手段７が設けられる。このアース手段７は、前記受面１３から、下部緩衝材４の上を通り、前記パレット３の上面及び横側面を経て、前記パレット３の下面まで貼着される。
【００３９】
前記アース手段７は電気製品２に対して最低１つあれば良いが、この実施例では前記２つのアース手段７を設けて、包装ケース１を地面に下ろした時により確実にアース手段７が地面に接触するようにしている。
【００４０】
もちろん、アース手段７の接地面積は大きければ大きいほどアース手段７を確実に接地させることができる。
【００４１】
この包装ケース１のその他の構成、作用ないし効果は上記各実施例のそれらと同様である。
【００４２】
図５に示す本発明の更に他の実施例に係る包装ケース１では、アース手段７が予め下部緩衝材４とパレット３にわたって設けられ、パレット３の上の所定の位置に下部緩衝材４を乗せることにより、下部緩衝材４側のアース手段７の部分とパレット３側のアース部材７の部分が接触し、更にパレット３上の下部緩衝材４に電気製品２を載せることにより下部緩衝材４側のアース手段７の部分がパレット３側のアース部材７の部分に適当な接触圧が与えられて下部緩衝材４側のアース手段７の部分とパレット３側のアース部材７の部分が確実に電気的に導通するようにしている。
【００４３】
即ち、下部緩衝材４には、前記受面１３の左右方向全幅にわたって粘着させる導電性テープからなる製品当接部７ｃと、前記受面１３上で製品当接部７ｃと交差し、当該下部緩衝材４の前記受面１３から内側面を経て下面の内外方向（前後方向）全長にわたって延びる導電性テープからなるリード部７ｄが予め貼着される。
【００４４】
又、前記パレット３には、その前後両端部に、上デッキボード１２の上面で左右方向の全長にわたって延び、左右両端面で脚部８に沿って上面から下面に延び、更に、左右両端縁から下デッキボード１０の下側に回り込む導電性テープからなる接地部７ｅが予め貼着される。
【００４５】
そして、電気製品２を梱包するために、地面の上でパレット３の上に下部緩衝材４を載せると、上デッキボード１２の上面に貼着されている接地部７ｅの部分と、下部緩衝部材４の下面に貼着されているリード部７ｄの部分が接触する。
【００４６】
更に、前記下部緩衝部材４の上に電気製品２を載せると、その重量により、電気製品２の金属ベースと製品当接部７ｃ、リード部７ｄと接地部７ｅ、接地部７ｅと地面がそれぞれ適当な接触圧で接触し、電気製品２がアース部材７を介して確実に地面に接地されることになる。
【００４７】
このように、この実施例によれば、梱包作業時にアース部材７をパレット３及び下部緩衝部材４に取付ける作業は不要になり、簡単に、短時間で電気製品２を梱包できる。
【００４８】
この実施例のその他の構成、作用ないし効果は上述の各実施例のそれらと同様である。
【００４９】
なお、上記の各実施例では、説明を簡単にするために省略しているが、パレット３の上デッキボード１２の互いに対向する２辺又は４辺に前記箱体６を固定するために折り上げるサイドフラップを連設することは何ら支障がない。
【図面の簡単な説明】
【００５０】
【図１】本発明の分解斜視図である。
【図２】図１のＡ−Ａ線に沿う縦断面図である。
【図３】本発明の縦断面図である。
【図４】本発明の斜視図である。
【図５】本発明の分解斜視図である。
【符号の説明】
【００５１】
１  包装ケース
２  製品
３  パレット
４  下部緩衝材
７  アース部材
８  脚部
１３  受面
【図１】
2007320619.tif 000003
【図２】
2007320619.tif 000004
【図３】
2007320619.tif 000005
【図４】
2007320619.tif 000006
【図５】
2007320619.tif 000007